【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
被粉砕対象物を受け入れるケーシングと、
上記ケーシング内に正転・逆転可能に配置され回転ロータに打撃ハンマを取り付けてなり上記ケーシング内に導入された被粉砕対象物を打撃によって粉砕する打撃ハンマ体と、
上記ケーシングに設置され上記被粉砕対象物を上記打撃ハンマ体方向に案内・供給すると共に上記打撃ハンマ体の正転・逆転の切換に伴って切り換えられて上記被粉砕対象物の案内・供給位置を切り換える切換ダンパと、
上記ケーシングと上記打撃ハンマ体との間に設けられ上記打撃ハンマ体による打撃によって粉砕された被粉砕対象物を篩にかけて通過させるスクリーンと、
上記ケーシングに連接され上記被粉砕対象物を投入する被粉砕対象物投入口を備えると共に上記スクリーンを通過しない大きさであって上記打撃ハンマ体の回転による上向放出作用を利用して上記ケーシング外に放出される被粉砕対象物の中から重量異物を分離・排出させると共に残りを上記ケーシング内に戻す重量異物分離・排出手段と、
を具備したことを特徴とする粉砕装置。
【請求項２】
請求項１記載の粉砕装置において、
上記切換ダンパに設けられ上記被粉砕対象物を供給する被粉砕対象物シュート面の先端と上記打撃ハンマ体の軸心から直上に延長した垂線との水平方向距離を新たな被粉砕対象物供給を何等損なうことなく重量異物の放出動作を確実に行うことができる範囲に設定するようにしたことを特徴とする粉砕装置。
【請求項３】
請求項１記載の粉砕装置において、
上記重量異物分離・排出手段は、上記切換ダンパによる上記被粉砕対象物供給開口部の切換によって重量異物の弾道放出方向が異なった場合、上記重量異物を上記被粉砕対象物投入口の反対側に反射集合させて分離・排出するように構成されていることを特徴とする粉砕装置。
【請求項４】
請求項１〜請求項３の何れかに記載の粉砕装置において、
上記重量異物分離・排出手段は、真っ直ぐなホッパと傾斜したホッパを交互に連結した構成になっていることを特徴とする粉砕装置。
【手続補正２】
【補正対象書類名】明細書
【補正対象項目名】００１０
【補正方法】変更
【補正の内容】
【００１０】
上記目的を達成するべく本願発明の請求項１による粉砕装置は、被粉砕対象物を受け入れるケーシングと、上記ケーシング内に正転・逆転可能に配置され回転ロータに打撃ハンマを取り付けてなり上記ケーシング内に導入された被粉砕対象物を打撃によって粉砕する打撃ハンマ体と、上記ケーシングに設置され上記被粉砕対象物を上記打撃ハンマ体方向に案内・供給すると共に上記打撃ハンマ体の正転・逆転の切換に伴って切り換えられて上記被粉砕対象物の案内・供給位置を切り換える切換ダンパと、上記ケーシングと上記打撃ハンマ体との間に設けられ上記打撃ハンマ体による打撃によって粉砕された被粉砕対象物を篩にかけて通過させるスクリーンと、上記ケーシングに連接され上記被粉砕対象物を投入する被粉砕対象物投入口を備えると共に上記スクリーンを通過しない大きさであって上記打撃ハンマ体の回転による上向放出作用を利用して上記ケーシング外に放出される被粉砕対象物の中から重量異物を分離・排出させると共に残りを上記ケーシング内に戻す重量異物分離・排出手段と、を具備したことを特徴とするものである。
又、請求項２による粉砕装置は、請求項１記載の粉砕装置において、上記切換ダンパに設けられ上記被粉砕対象物を供給する被粉砕対象物シュート面の先端と上記打撃ハンマ体の軸心から直上に延長した垂線との水平方向距離を新たな被粉砕対象物供給を何等損なうことなく重量異物の放出動作を確実に行うことができる範囲に設定するようにしたことを特徴とするものである。
又、請求項３による粉砕装置は、請求項１記載の粉砕装置において、上記重量異物分離・排出手段は、上記切換ダンパによる上記被粉砕対象物供給開口部の切換によって重量異物の弾道放出方向が異なった場合、上記重量異物を上記被粉砕対象物投入口の反対側に反射集合させて分離・排出するように構成されていることを特徴とするものである。
又、請求項４による粉砕装置は、請求項１〜請求項３の何れかに記載の粉砕装置において、上記重量異物分離・排出手段は、真っ直ぐなホッパと傾斜したホッパを交互に連結した構成になっていることを特徴とするものである。  
【手続補正３】
【補正対象書類名】明細書
【補正対象項目名】００１１
【補正方法】変更
【補正の内容】
【００１１】
以上述べたように本願発明の請求項１による粉砕装置によると、被粉砕対象物を受け入れるケーシングと、上記ケーシング内に正転・逆転可能に配置され回転ロータに打撃ハンマを取り付けてなり上記ケーシング内に導入された被粉砕対象物を打撃によって粉砕する打撃ハンマ体と、上記ケーシングに設置され上記被粉砕対象物を上記打撃ハンマ体方向に案内・供給すると共に上記打撃ハンマ体の正転・逆転の切換に伴って切り換えられて上記被粉砕対象物の案内・供給位置を切り換える切換ダンパと、上記ケーシングと上記打撃ハンマ体との間に設けられ上記打撃ハンマ体による打撃によって粉砕された被粉砕対象物を篩にかけて通過させるスクリーンと、上記ケーシングに連接され上記被粉砕対象物を投入する被粉砕対象物投入口を備えると共に上記スクリーンを通過しない大きさであって上記打撃ハンマ体の回転による上向放出作用を利用して上記ケーシング外に放出される被粉砕対象物の中から重量異物を分離・排出させると共に残りを上記ケーシング内に戻す重量異物分離・排出手段と、を具備した構成になっているので、まず、従来、粉砕装置のケーシングにおける発熱の原因になっていた重量異物を効果的に分離・排出することができるようになり、ケーシング内における発熱、それに起因した火災の発生等を未然に防止することができるようになった。
又、ケーシングの内張部や打撃ハンマ体等の損傷の原因になっていた重量異物を分離・排出することができるようになったので、上記ケーシングや打撃ハンマ体の損傷を防止することができるようになり、それによって、消耗品の寿命の延長を図ることが可能になり、運転コストの低減を図ることができるようになった。
又、重量異物を分離・排出することができるようになったので、粉砕時における騒音の低減を図ることができるようになった。
又、請求項２による粉砕装置は、請求項１記載の粉砕装置において、上記切換ダンパに設けられ上記被粉砕対象物を供給する被粉砕対象物シュート面の先端と上記打撃ハンマ体の軸心から直上に延長した垂線との水平方向距離を新たな被粉砕対象物供給を何等損なうことなく重量異物の放出動作を確実に行うことができる範囲に設定するようにしたので、被粉砕対象物を上記ケーシング内に支障なく供給すると共に重量異物の放出を可能にすることが可能になった。
又、請求項３による粉砕装置は、請求項１記載の粉砕装置において、上記重量異物分離・排出手段は、上記切換ダンパによる上記被粉砕対象物供給開口部の切換によって重量異物の弾道放出方向が異なった場合、上記重量異物を上記被粉砕対象物投入口の反対側に反射集合させて分離・排出するように構成されているので、これによって、重量異物の放出を確実なものとすることができるものである。
又、請求項４による粉砕装置は、請求項１〜請求項３の何れかに記載の粉砕装置において、上記重量異物分離・排出手段は、真っ直ぐなホッパと傾斜したホッパを交互に連結した構成になっているので、上記重量異物を上記被粉砕対象物投入口の反対側に反射集合させて分離・排出する効果を確実なものとすることができる。